(57)【特許請求の範囲】
【請求項１】
カバーと、前記カバーの両側にそれぞれ配設されるボタンと、前記カバーの他の両側にそれぞれ配設される切欠きとを含み、前記カバーの裏側にシリンダー台及び対向に位置するスライドレバーが配設され、前記切欠きに挿入することによりファスナーの引手をロックするためのボルトが前記スライドレバーに配設され、前記シリンダー台の中に回動自在に配設されたシリンダーに、それぞれの前記スライドレバーを押し付けるための押しピンが対向に位置するよう配設され、前記ボタンは前記スライドレバーを押し付けそれを移動させることができ、前記スライドレバーと前記カバーの間に前記スライドレバーを復帰するための復帰機構が配設されており、
前記復帰機構は、両端部がそれぞれ前記スライドレバー及び前記カバーの内壁と接触した状態で取り付けられる復帰バネを含み、
前記スライドレバーは、
前記ボタン側の前記切欠きに突出される前記ボルトと、このボルトを付勢する前記復帰バネの一端が配置される引掛り部とを有する第１のスライドレバーと、
前記シリンダー側の前記切欠きに突出される前記ボルトと、このボルトを付勢する前記復帰バネの一端が配置される引掛り部とを有し、前記第１のスライドレバーとは別体に構成された第２のスライドレバーとを含むことを特徴とする両面ファスナーロック。
【請求項２】
前記第１のスライドレバーと、前記第２のスライドレバーとは、重ねて設けられている、請求項１に記載の両面ファスナーロック。
【請求項３】
前記ボルトの先端部は、前記シリンダー側から前記ボタン側にかけて傾斜されている、請求項１または請求項２に記載の両面ファスナーロック。
【請求項４】
前記カバーに鍔を有する受容れ穴とボトム板とを有し、前記シリンダー台は前記受容れ穴に配設され、前記鍔と前記ボトム板により前記シリンダー台の軸方向の移動が制限され、前記シリンダー台の外壁に設けられた筋状の突起部と、前記受容れ穴の内壁に設けられ前記筋状の突起部と係合する溝との係合により、前記シリンダー台の軸周りの回動が制限されることを特徴とする請求項１から請求項３のいずれかに記載の両面ファスナーロック。
【請求項５】
前記シリンダーにブロックと、前記ブロックが挿設した連接穴を有する連接部とが配設され、前記シリンダーは前記ブロックが前記連接穴の内壁を押出すことにより前記連接部を回動させ、前記押しピンは前記連接部にそれぞれ配設されることを特徴とする請求項１から請求項４のいずれかに記載の両面ファスナーロック。
【請求項６】
前記ボタンには、その裏側に対向に位置する受容れ溝と、第１の位置決め部と、第２の位置決め部とが配設され、前記スライドレバーの端部が前記受容れ溝に配設され、前記カバーには、前記第１の位置決め部と係止する第１の係止部及び前記第２の位置決め部と係止する第２の係止部が配設されることを特徴とする請求項１から請求項５のいずれかに記載の両面ファスナーロック。
【発明の詳細な説明】
【技術分野】
【０００１】
本発明はファスナーのロック技術に係わり、特に、同時に二本のファスナーをロックすることができる両面ファスナーロックに関する。
【背景技術】
【０００２】
従来から、ファスナー搭載のスーツケースまたはその他の類似のケースにおいて、ファスナーの引手をロックするためファスナーロックが配設されている。
【０００３】
例えば、実用新案登録第３１３３８７９号には、ダイヤル錠とシリンダー錠を兼ね備えることにより、使用者にダイヤル錠による解錠またはシリンダー錠による解錠を選択させることを可能にするファスナー用ロックが開示されている（特許文献１）。
【先行技術文献】
【特許文献】
【０００４】
【特許文献１】実用新案登録第３１３３８７９号公報
【発明の概要】
【発明が解決しようとする課題】
【０００５】
しかしながら、現在多数のスーツケースに二つ仕切りがあり、これらの仕切りをそれぞれ開閉するために二本のファスナーが設けられている。このため、二本のファスナーをロックするためには、二つのファスナーロックが必要となり、コストが高くなるという問題がある。
【０００６】
前記問題を解決するため、本発明の発明者は、同時に二本のファスナーをロックすることができ、構造が簡単で、操作も便利であり、製造コストを低くすることができ、製品の種類も多様化することができる両面ファスナーロックを開発した。
【課題を解決するための手段】
【０００７】
従来技術の課題を解決するため、本発明は構造が簡単で、操作も便利であり、製造コストが低く、同時に二本のファスナーをロックすることができる両面ファスナーロックを提供する。
【０００８】
本発明は前記技術的な課題を解決するため下記の技術方案を採用する。
【０００９】
本発明の両面ファスナーロックは、カバーと、前記カバーの両側にそれぞれ配設されるボタンと、前記カバーの他の両側にそれぞれ配設される切欠きとを含み、前記カバーの裏側にシリンダー台及び対向に位置するスライドレバーが配設され、前記切欠きに挿入することによりファスナーの引手をロックするためのボルトが前記スライドレバーに配設され、前記シリンダー台の中に回動自在に配設されたシリンダーに、それぞれの前記スライドレバーを押し付けるための押しピンが対向に位置するよう配設され、前記ボタンは前記スライドレバーを押し付けそれを移動させることができ、前記スライドレバーと前記カバーの間に前記スライドレバーを復帰するための復帰機構が配設される。
【００１０】
また、本発明の一態様として、前記カバーに鍔を有する受容れ穴とボトム板とを有し、前記シリンダー台は前記受容れ穴に配設され、前記鍔と前記ボトム板により前記シリンダー台の軸方向の移動が制限され、前記シリンダー台の外壁に設けられた筋状の突起部と、前記受容れ穴の内壁に設けられ前記筋状の突起部と係合する溝との係合により、前記シリンダー台の軸周りの回動が制限される。
【００１１】
さらに、本発明の一態様として、前記シリンダーにブロックと、前記ブロックが挿設した連接穴を有する連接部とが配設され、前記シリンダーは前記ブロックが前記連接穴の内壁を押出すことにより前記連接部を回動させ、前記押しピンは前記連接部にそれぞれ配設される。
【００１２】
また、本発明の一態様として、前記復帰機構は、両端部がそれぞれ前記スライドレバー及び前記カバーの内壁と接触した状態で取り付けられる復帰バネを含む。
【００１３】
さらに、本発明の一態様として、前記スライドレバーは、前記ボルトがそれぞれ配設された第１のスライドレバーと第２のスライドレバーとを含む。
【００１４】
また、本発明の一態様として、前記第１のスライドレバー及び前記第２のスライドレバーに、前記復帰バネの一端が弾性的に配置される引掛り部がそれぞれ配設される。
【００１５】
さらに、本発明の一態様として、前記ボタンには、その裏側に対向に位置する受容れ溝と、第１の位置決め部と、第２の位置決め部とが配設され、前記スライドレバーの端部が前記受容れ溝に配設され、前記カバーには、前記第１の位置決め部と係止する第１の係止部及び前記第２の位置決め部と係止する第２の係止部が配設される。
【発明の効果】
【００１６】
本発明の効果は、鍵でシリンダーを回動させるとともに押しピンを回動させることにより、押しピンがスライドレバーへの押圧を解除し、ボタンを介してスライドレバーを押し付けることによりボルトを従動させ、ファスナーの引手のロックを解除して解錠を実現する。また、本発明によれば、構造が簡単で、操作も便利であり、製造コストが低く、同時に二本のファスナーをロックすることができる。
【図面の簡単な説明】
【００１７】
【図１】本発明に係る両面ファスナーロックの全体図である。
【図２】本発明に係る両面ファスナーロックの分解図である。
【図３】本発明に係る両面ファスナーロックのボトム板を省略した斜視図である。
【図４】本発明に係る両面ファスナーロックのカバーを省略した斜視図である。
【図５】本発明に係るカバーの裏側を示す斜視図である。
【図６】本発明に係るスライドレバーの裏側を示す斜視図である。
【図７】本発明に係るボタンの裏側を示す斜視図である。
【発明を実施するための形態】
【００１８】
図１〜図７を参照すると、本発明の両面ファスナーロックは、カバー１と、カバー１の両側にそれぞれ配設されるボタン２と、カバー１の他の両側にそれぞれ配設される切欠き３とを含み、カバー１の裏側にシリンダー台４及び対向に位置するスライドレバー５が配設され、切欠き３に挿入することによりファスナーの引手をロックするためのボルト６がスライドレバー５に配設され、シリンダー台４の中に回動自在に配設されたシリンダー７に、それぞれのスライドレバー５を押し付けるための押しピン８が対向に位置するよう配設され、前記ボタン２はスライドレバー５を押し付けそれを移動させることができ、スライドレバー５とカバー１の間にスライドレバー５を復帰するための復帰機構が配設される。シリンダー７は本技術分野における従来の技術であるため説明を省略する。
【００１９】
図１に示すように、本発明の好ましい実施形態において、カバー１の両側に切欠き３が二つずつ配設されるとともに、ケースのファスナーは２枚の引手を備えるため、上下に併設した２本のファスナーは両側に位置する二つずつの切欠き３と係合することができる。カバー１の他の両側には、対向に位置するボタン２がそれぞれ配設される。なお、ケースとは、スーツケースのように、ファスナーを搭載したあらゆるケースを含むものである。
【００２０】
図４および図５に示すように、取付と加工の便利性のため、前記カバー１に鍔１０を有する受容れ穴９とボトム板１１とを有し、前記シリンダー台４は受容れ穴９に配設され、鍔１０とボトム板１１により前記シリンダー台４の軸方向の移動が制限され、前記シリンダー台４の外壁に設けられた筋状の突起部１２と、受容れ穴９の内壁に設けられ前記筋状の突起部１２と係合する溝１３との係合により、前記シリンダー台４の軸周りの回動が制限される。
【００２１】
図３および図６に示すように、前記シリンダー７にブロック１４と、ブロック１４が挿設した連接穴１５ａを有する連接部１５とが配設され、前記シリンダー７はブロック１４が連接穴１５ａの内壁を押出すことにより連接部１５を回動させる。また、前記押しピン８は連接部１５の左右端部にそれぞれ配設される。本実施形態において、各押しピン８と連接部１５は一体成形品である。
【００２２】
図２および図３に示すように、前記復帰機構は、両端部がそれぞれスライドレバー５及びカバー１の内壁１ａと接触した状態で取り付けられる復帰バネ（図示なし）を含む。取付と加工の便利性のため、前記スライドレバー５は、前記ボルト６がそれぞれ配設された第１のスライドレバー１６と第２のスライドレバー１７とを含み、前記第１のスライドレバー１６及び第２のスライドレバー１７に、前記復帰バネの一端が弾性的に配置される引掛り部１８がそれぞれ配設される。すなわち、本実施形態では、カバー１の内壁１ａと引掛り部１８との間に復帰バネが圧縮状態で配置される。
【００２３】
図７に示すように、前記ボタン２には、その裏側に対向に位置する受容れ溝１９と、第１の位置決め部２０と、第２の位置決め部２１とが配設され、図３に示すように、前記スライドレバー５の端部が受容れ溝１９に配設される。また、図５に示すように、前記カバー１には、第１の位置決め部２０と係止する第１の係止部２２及び第２の位置決め部２１と係止する第２の係止部２３が配設される。
【００２４】
本発明の作動原理は、両面ファスナーロックを解錠する時、鍵をシリンダー７に挿入してそれを回動させるとともに押しピン８を回動させることにより、押しピン８がスライドレバー５への押圧を解除する。そして、両側のボタン２を押してスライドレバー５を押し付けることによりボルト６を従動させ、各ファスナーの引手のロックを解除してそれらを切欠き３から取り出し、ケースを開ける。
【００２５】
ケースを施錠しようとする場合は、二本のファスナーを閉め、ボタン２を押すことによりスライドレバー５がボルト６をもとの位置へ復帰させる。そして各ファスナーの引手をそれぞれ対応の切欠き３に挿入するとともにボタン２の押圧を解除して、復帰バネによりスライドレバー５がもとの位置に復帰するとともにボルト６が各ファスナーの引手の穴を通る。そして鍵でシリンダー７を回動させ押しピン８を回動させることにより、スライドレバー５が動けなくなるように押しピン８に押し付けられ、各ファスナーの引手がボルト６にロックされることができる。
【００２６】
本発明に係る両面ファスナーロックによれば、構造が簡単で、操作も便利であり、製造コストが低く、同時に二本のファスナーをロックすることができる。
【００２７】
当然ながら、本発明は前記の実施形態に限られるものではなく、当業者であれば本発明の趣旨を逸脱しないことを前提として同等な修正または変更を実施することが可能であり、それらの同等な修正または変更はいずれも本発明の特許請求の範囲が限定する範囲内に含まれるものとする。
【符号の説明】
【００２８】
１  カバー
１ａ  内壁
２  ボタン
３  切欠き
４  シリンダー台
５  スライドレバー
６  ボルト
７  シリンダー
８  押しピン
９  受容れ穴
１０  鍔
１１  ボトム板
１２  突起部
１３  溝
１４  ブロック
１５  連接部
１５ａ  連接穴
１６  第１のスライドレバー
１７  第２のスライドレバー
１８  引掛り部
１９  受容れ溝
２０  第１の位置決め部
２１  第２の位置決め部
２２  第１の係止部
２３  第２の係止部
【図１】
0005918738.tif 000002
【図２】
0005918738.tif 000003
【図３】
0005918738.tif 000004
【図４】
0005918738.tif 000005
【図５】
0005918738.tif 000006
【図６】
0005918738.tif 000007
【図７】
0005918738.tif 000008